(57)【要約】【課題】  燃料加圧ポンプなどの装置を大型化することなく内燃機関の始動性を向上させると共に排気エミッションの悪化を抑止する。【解決手段】  エンジンを始動する際には、筒内噴射を行なう燃料噴射弁に燃料を分配するデリバリパイプ内の燃圧Ｐｆが基準圧力Ｐｒｅｆ以上のときにはスタータモータによりクランキングしてエンジンを始動し（Ｓ１２０）、デリバリパイプ内の燃圧Ｐｆが基準圧力Ｐｒｅｆ未満のときには走行用の動力を出力するモータジェネレータによりエンジンをモータリングして（Ｓ１３０）、燃圧Ｐｆが基準圧力Ｐｒｅｆ以上となったときにエンジンを始動する。この結果、燃圧Ｐｆを迅速に基準圧力Ｐｒｅｆ以上とすることができ、エンジンの始動性を向上させることができる。また、燃圧Ｐｆが基準圧力Ｐｒｅｆ未満のときにエンジンを始動する際に生じ得る排気エミッションの悪化を抑止することができる。【選択図】        図２
2005155337.tif 000002
【特許請求の範囲】
【請求項１】
内燃機関からの動力と電動機からの動力とにより走行可能なハイブリッド自動車であって、
前記内燃機関の出力軸の動力を用いて駆動し、該内燃機関に燃料噴射するための燃料供給管に燃料を加圧して供給する加圧供給手段と、
前記燃料供給管内の燃料圧力を検出する燃圧検出手段と、
前記内燃機関の始動指示がなされたとき、前記燃圧検出手段により検出された燃料圧力が基準圧力以上のときには通常に該内燃機関を始動し、前記燃圧検出手段により検出された燃料圧力が前記基準圧力未満のときには該検出された燃料圧力が基準圧力以上となるまで前記電動機を用いて該内燃機関をモータリングして該内燃機関を始動する始動手段と、
を備えるハイブリッド自動車。
【請求項２】
請求項１記載のハイブリッド自動車であって、
燃料タンクから燃料を供給する燃料供給手段を備え、
前記加圧供給手段は、前記燃料供給手段により供給された燃料を加圧する手段である
ハイブリッド自動車。
【請求項３】
前記電動機を用いた前記内燃機関のモータリングが所定時間経過したときに前記燃圧検出手段により検出された燃料圧力が前記所定圧力未満のときには燃料系に異常が発生したと判定する異常判定手段を備える請求項１または２記載のハイブリッド自動車。
【請求項４】
前記始動手段による前記内燃機関の始動の際でも運転者の操作に基づく動力が車軸に出力されるよう前記内燃機関と前記電動機とを制御する制御手段を備える請求項１ないし３いずれか記載のハイブリッド自動車。
【請求項５】
前記内燃機関の始動指示は、前記ハイブリッド自動車の始動後の最初の前記内燃機関の始動指示である請求項１ないし４いずれか記載のハイブリッド自動車。
【請求項６】
請求項１ないし５いずれか記載のハイブリッド自動車であって、
前記内燃機関をクランキング可能なスタータモータを備え、
前記始動手段は、前記燃圧検出手段により検出された燃料圧力が基準圧力以上のときには前記スタータモータを用いて前記内燃機関を始動する手段である
ハイブリッド自動車。
【請求項７】
前記電動機の回転軸と前記内燃機関の出力軸との接続および接続の解除を行なう接続解除手段を備える請求項１ないし６いずれか記載のハイブリッド自動車。
【請求項８】
請求項１ないし５いずれか記載のハイブリッド自動車であって、
前記内燃機関の出力軸と車軸に連結された駆動軸とに接続され、電力の入出力を伴って該内燃機関からの動力の少なくとも一部を該駆動軸に出力する電力動力入出力手段を備え、
前記電動機は、前記車軸または該車軸とは異なる車軸に接続されてなり、
前記始動手段は、前記電動機と前記電力動力入出力手段とを用いて前記内燃機関をモータリングする手段である
ハイブリッド自動車。
【請求項９】
内燃機関からの動力と電動機からの動力とにより走行が可能で、前記内燃機関の出力軸の動力を用いて駆動し該内燃機関に燃料噴射するための燃料供給管に燃料を加圧して供給する加圧供給手段を備えるハイブリッド自動車の制御方法であって、
前記内燃機関の始動指示がなされたとき、前記燃料供給管の燃料圧力が基準圧力以上のときには通常に該内燃機関を始動し、前記燃料供給管の燃料圧力が前記基準圧力未満のときには該燃料圧力が基準圧力以上となるまで前記電動機を用いて該内燃機関をモータリングして該内燃機関を始動するハイブリッド自動車の制御方法。
【発明の詳細な説明】
【技術分野】
【０００１】
本発明は、ハイブリッド自動車およびその制御方法に関し、詳しくは、内燃機関からの動力と電動機からの動力とにより走行可能なハイブリッド自動車およびその制御方法に関する。
【背景技術】
【０００２】
従来、この種のハイブリッド自動車としては、エンジンの始動時に始動に先立って電動燃料ポンプを駆動するものが提案されている（例えば、特許文献１参照）。この自動車では、電動燃料ポンプをエンジンの始動に先立って駆動してエンジンに供給する燃料の圧力を予め上昇させることにより、エンジンの始動性を向上させている。
【特許文献１】特開２０００−６４８７５号公報
【発明の開示】
【発明が解決しようとする課題】
【０００３】
筒内に直接燃料噴射を行なうエンジンでは、吸気マニホールドに燃料噴射を行なうエンジンに比して高圧の燃料圧力が必要となる。このため、電動燃料ポンプから供給された燃料をエンジンの出力軸の動力を用いて更に加圧してエンジンに供給する高圧燃料ポンプが一般的に用いられている。この場合、エンジンの始動に先立って高圧燃料ポンプを駆動することができないから、燃料圧力が不足するときにはエンジンのクランキングに伴って燃料圧力が上昇するのを待つ必要がある。このとき、スタータモータによるエンジンのクランキングはエンジン回転数が低いから、燃料圧力が基準圧力になるには相当な時間を要する。こうした問題に対して電動高圧燃料ポンプを用いることも考えられるが、ポンプ性能を確保するには体格が大きくなってしまう。また、燃料圧力が基準圧力に至る前にエンジンを始動することも考えられるが、この場合、エンジン内の燃焼が安定せず、排気エミッションが悪化する場合を生じる。こうした課題は、筒内に直接燃料を噴射するエンジンに限られず、エンジンの出力軸の動力を用いて燃料を加圧して燃料噴射するタイプのエンジンにも言えることである。
【０００４】
本発明のハイブリッド自動車およびその制御方法は、迅速に内燃機関を始動することを目的の一つとする。また、本発明のハイブリッド自動車およびその制御方法は、ポンプなどの加圧装置を大型化することなく内燃機関の始動性を向上させることを目的の一つとする。さらに、本発明のハイブリッド自動車およびその制御方法は、内燃機関の始動時における排気エミッションの悪化を抑止することを目的の一つとする。
【課題を解決するための手段】
【０００５】
本発明のハイブリッド自動車およびその制御方法は、上述の目的の少なくとも一部を達成するために以下の手段を採った。
【０００６】
本発明のハイブリッド自動車は、
内燃機関からの動力と電動機からの動力とにより走行可能なハイブリッド自動車であって、
前記内燃機関の出力軸の動力を用いて駆動し、該内燃機関に燃料噴射するための燃料供給管に燃料を加圧して供給する加圧供給手段と、
前記燃料供給管内の燃料圧力を検出する燃圧検出手段と、
前記内燃機関の始動指示がなされたとき、前記燃圧検出手段により検出された燃料圧力が基準圧力以上のときには通常に該内燃機関を始動し、前記燃圧検出手段により検出された燃料圧力が前記基準圧力未満のときには該検出された燃料圧力が基準圧力以上となるまで前記電動機を用いて該内燃機関をモータリングして該内燃機関を始動する始動手段と、
を備えることを要旨とする。
【０００７】
この本発明のハイブリッド自動車では、内燃機関の始動指示がなされたときには、検出した燃料圧力が基準圧力以上のときには通常に内燃機関を始動し、検出した燃料圧力が基準圧力未満のときには燃料圧力が基準圧力以上となるまで電動機を用いて内燃機関をモータリングして内燃機関を始動する。即ち、燃料圧力が基準圧力未満のときには走行用の動力を出力可能な電動機により内燃機関をモータリングして内燃機関を始動するのである。このため、こうした電動機より非力なスタータモータによるクランキングに比して内燃機関の回転数を迅速に高くすることができると共に内燃機関の出力軸の動力を用いて駆動する加圧供給手段による燃料供給管内の燃料圧力を迅速に基準圧力に至らせることができる。この結果、内燃機関を迅速に始動することができる。もとより、加圧供給手段の大型化を招くこともない。また、燃料圧力が基準圧力以上となった後に内燃機関を始動するから、燃料圧力が基準圧力未満のときに内燃機関を始動することによって生じ得る排気エミッションの悪化を招くこともない。ここで、加圧供給手段は、内燃機関の筒内に燃料を直接噴射するための燃料供給管に燃料を加圧する手段とすることもできる。
【０００８】
こうした本発明のハイブリッド自動車において、燃料タンクから燃料を供給する燃料供給手段を備え、前記加圧供給手段は前記燃料供給手段により供給された燃料を加圧する手段であるものとすることもできる。こうすれば、加圧供給手段や燃料供給手段の小型化を図ることができる。
【０００９】
また、本発明のハイブリッド自動車において、前記電動機を用いた前記内燃機関のモータリングが所定時間経過したときに前記燃圧検出手段により検出された燃料圧力が前記所定圧力未満のときには燃料系に異常が発生したと判定する異常判定手段を備えるものとすることもできる。こうすれば、燃料系の異常を比較的迅速に判定することができる。この場合、異常ランプを点灯するなど、判定結果を出力するのが好ましい。
【００１０】
さらに、本発明のハイブリッド自動車において、前記始動手段による前記内燃機関の始動の際でも運転者の操作に基づく動力が車軸に出力されるよう前記内燃機関と前記電動機とを制御する制御手段を備えるものとすることもできる。こうすれば、内燃機関の始動に拘わらず、運転者の要求する動力を車軸に出力することができる。
【００１１】
本発明のハイブリッド自動車において、前記内燃機関の始動指示は、前記ハイブリッド自動車の始動後の最初の前記内燃機関の始動指示であるものとすることもできる。これは、燃料圧力が基準圧力未満となる可能性の高い最初の始動時にこうした始動制御の必要が高いことに基づく。
【００１２】
本発明のハイブリッド自動車において、前記内燃機関をクランキング可能なスタータモータを備え、前記始動手段は前記燃圧検出手段により検出された燃料圧力が基準圧力以上のときには前記スタータモータを用いて前記内燃機関を始動する手段であるものとすることもできる。
【００１３】
本発明のハイブリッド自動車において、前記電動機の回転軸と前記内燃機関の出力軸との接続および接続の解除を行なう接続解除手段を備えるものとすることもできる。こうすれば、必要に応じて電動機の回転軸と内燃機関の出力軸とを接続したりその接続を解除することができる。
【００１４】
本発明のハイブリッド自動車において、前記内燃機関の出力軸と車軸に連結された駆動軸とに接続され電力の入出力を伴って該内燃機関からの動力の少なくとも一部を該駆動軸に出力する電力動力入出力手段を備え、前記電動機は前記車軸または該車軸とは異なる車軸に接続されてなり、前記始動手段は前記電動機と前記電力動力入出力手段とを用いて前記内燃機関をモータリングする手段であるものとすることもできる。
【００１５】
本発明のハイブリッド自動車の制御方法は、
内燃機関からの動力と電動機からの動力とにより走行が可能で、前記内燃機関の出力軸の動力を用いて駆動し該内燃機関に燃料噴射するための燃料供給管に燃料を加圧して供給する加圧供給手段を備えるハイブリッド自動車の制御方法であって、
前記内燃機関の始動指示がなされたとき、前記燃料供給管の燃料圧力が基準圧力以上のときには通常に該内燃機関を始動し、前記燃料供給管の燃料圧力が前記基準圧力未満のときには該燃料圧力が基準圧力以上となるまで前記電動機を用いて該内燃機関をモータリングして該内燃機関を始動する
ことを要旨とする。
【００１６】
この本発明のハイブリッド自動車の制御方法によれば、内燃機関の始動指示がなされたときに検出した燃料圧力が基準圧力未満のときには燃料圧力が基準圧力以上となるまで電動機を用いて内燃機関をモータリングして内燃機関を始動するから、こうした走行用の動力を出力可能な電動機より非力なスタータモータによるクランキングに比して内燃機関の回転数を迅速に高くすることができ、内燃機関の出力軸の動力を用いて駆動する加圧供給手段による燃料供給管内の燃料圧力を迅速に基準圧力に至らせることができる。この結果、内燃機関を迅速に始動することができる。もとより、加圧供給手段の大型化を招くこともない。また、燃料圧力が基準圧力以上となった後に内燃機関を始動するから、燃料圧力が基準圧力未満のときに内燃機関を始動することによって生じ得る排気エミッションの悪化を招くこともない。ここで、加圧供給手段は、内燃機関の筒内に燃料を直接噴射するための燃料供給管に燃料を加圧する手段とすることもできる。
【発明を実施するための最良の形態】
【００１７】
次に、本発明を実施するための最良の形態を実施例を用いて説明する。
【実施例】
【００１８】
図１は、本発明の一実施例としてのハイブリッド自動車２０の構成の概略を示す構成図である。実施例のハイブリッド自動車２０は、図示するように、ガソリンにより駆動するエンジン２２と、エンジン２２をコントロールするエンジン用電子制御ユニット（以下、エンジンＥＣＵという）２４と、エンジン２２からクランクシャフト２６に出力された動力を変速してデファレンシャルギヤ３２を介して駆動輪３４ａ，３４ｂに伝達するオートマチックトランスミッション２８と、このオートマチックトランスミッション２８の変速を制御するオートマチックトランスミッション用電子制御ユニット（以下、ＡＴＥＣＵという）３０と、エンジン２２のクランクシャフト２６と動力のやり取りを行なうモータジェネレータ３６と、このモータジェネレータ３６とインバータ３８を介して電力のやり取りを行なうバッテリ４０と、エンジン２２の始動や停止，モータジェネレータ３６の駆動などを制御するハイブリッド用電子制御ユニット５０とを備える。
【００１９】
エンジン２２は、各気筒内に直接燃料を噴射するようシリンダ内に燃料噴射弁２２ａ〜２２ｆが取り付けられた直噴形の内燃機関として構成されており、エンジン２２をクランキングするスタータモータ２３が併設されている。筒内噴射する燃料噴射弁２２ａ〜２２ｆには、車両後方に配置された燃料タンク６０から燃料ポンプ６２により供給されると共にクランクシャフト２６の動力によって駆動する高圧燃料ポンプ６４により加圧された燃料がデリバリパイプ６６によって供給されている。高圧燃料ポンプ６４は、例えば、クランクシャフト２６の回転により回転駆動するカムシャフトの凹凸による上下運動を用いて駆動させることができる。なお、図示しないが、高圧燃料ポンプ６４の吐出側には燃料の逆流を防止すると共にデリバリパイプ６６内の燃料圧力を保持するチェックバルブが取り付けられている。また、デリバリパイプ６６には、燃料圧力が過剰となるのを防止するリリーフバルブを介して燃料を燃料タンク６０に戻すリリーフパイプが取り付けられている。
【００２０】
モータジェネレータ３６は、電動機として駆動すると共に発電機としても駆動する同期電動発電機として構成されており、その回転軸に取り付けられたモータ用プーリ４６は、エンジン２２のクランクシャフト２６にクラッチ４２を介して接続されたエンジン側プーリ４４にベルト４８により接続されている。このため、モータジェネレータ３６は、エンジン２２からクランクシャフト２６に出力された動力を用いて発電してバッテリ４０を充電したり、バッテリ４０からの電力を用いて動力をクランクシャフト２６に出力できる。
【００２１】
ハイブリッド用電子制御ユニット５０は、ＣＰＵを中心とするマイクロプロセッサにより構成されており、図示しないがＣＰＵの他に処理プログラムやデータなどを記憶するＲＯＭや一時的にデータを記憶するＲＡＭや入出力ポート、通信ポートを備えている。ハイブリッド用電子制御ユニット５０には、モータジェネレータ３６に取り付けられた図示しない回転数センサや温度センサからのモータ回転数やモータ温度、インバータ３８内に取り付けられた図示しない電流センサからのモータジェネレータ３６への相電流、バッテリ４０に取り付けられた図示しない温度センサからのバッテリ温度、バッテリ４０の出力端子近傍に取り付けられた図示しない電圧センサや電流センサからの端子間電圧や充放電電流、車両を始動するキースイッチ５１からのスイッチ信号，シフトレバー５２の操作位置を検出するシフトポジションセンサ５３からのシフトポジションＳＰ，アクセルペダル５４の踏み込み量に対応したアクセル開度Ａｃｃを検出するアクセルペダルポジションセンサ５５からのアクセル開度Ａｃｃ，ブレーキペダル５６の踏み込み量を検出するブレーキペダルポジションセンサ５７からのブレーキペダルポジションＢＰ，車速センサ５８からの車速Ｖ，デリバリパイプ６６に取り付けられデリバリパイプ６６内の燃料の圧力（以下、燃圧という）を検出する燃圧センサ６８からの燃圧Ｐｆなどが入力ポートを介して入力されており、ハイブリッド用電子制御ユニット５０からは、エンジン２２のクランクシャフト２６をクランキングするスタータモータ２３への駆動信号やモータジェネレータ３６を駆動制御するためのインバータ３８へのスイッチング制御信号、クラッチ４２への駆動信号，運転席前方に配置され燃料系の異常を警告するアラーム５９への点灯信号，燃料ポンプ６２への駆動信号などが出力ポートを介して出力されている。また、ハイブリッド用電子制御ユニット５０は、通信ポートを介してエンジンＥＣＵ２４やＡＴＥＣＵ３０と接続されており、必要に応じてエンジンＥＣＵ２４からエンジン２２の状態に関するデータやＡＴＥＣＵ３０からオートマチックトランスミッション２８の状態に関するデータなどを受信すると共にエンジンＥＣＵ２４やＡＴＥＣＵ３０に制御信号を送信する。ここで、エンジン２２の状態に関するデータには、冷却水の水温やエンジン回転数などの他、エンジンＥＣＵ２４により実行されるアイドル回転時の制御値の学習の完了や学習履歴の有無に関するデータも含まれる。
【００２２】
こうして構成された実施例のハイブリッド自動車２０では、基本的には、アイドル停車時にアクセルペダル５４が踏み込まれていないアクセルＯＦＦであると共にブレーキペダルが踏み込まれているブレーキＯＮの状態でエンジン回転数Ｎｅが所定回転数以下であるなどの所定の停止条件が成立したときにエンジン２２を自動停止し、ブレーキＯＦＦとされると共にアクセルＯＮとされるなどの所定の始動条件が成立したときにモータジェネレータ３６によりエンジン２２が自動始動されるアイドルストップ制御が行なわれる。
【００２３】
次に、キースイッチ５１をオンとして車両を始動した後に最初にエンジン２２を始動するときの処理について説明する。図２は、ハイブリッド用電子制御ユニット５０により実行される始動処理ルーチンの一例を示すフローチャートである。このルーチンが実行されると、ハイブリッド用電子制御ユニット５０の図示しないＣＰＵは、まず、燃圧センサ６８から燃圧Ｐｆを入力し（ステップＳ１００）、燃圧Ｐｆが基準圧力Ｐｒｅｆ以上であるか否かを判定する（ステップＳ１１０）。ここで、基準圧力Ｐｒｅｆは、エンジン２２の筒内に安定して燃料を噴射してエンジン２２を安定して始動することができる程度のデリバリパイプ６６内の燃料圧力として設定されており、エンジン２２の圧縮比などの性能によって定めることができる。前述したように、高圧燃料ポンプ６４の吐出側には燃料の逆流を防止すると共にデリバリパイプ６６内の燃料圧力を保持するチェックバルブが取り付けられているから、通常のアイドルストップ制御時には燃圧Ｐｆは基準圧力Ｐｒｅｆ以上を保持する。デリバリパイプ６６内の燃圧Ｐｆが基準圧力Ｐｒｅｆ未満となるのは、冷間時や長期間にわたってエンジン２２を始動しないときなどである。従って、通常は、燃圧Ｐｆは基準圧力Ｐｒｅｆ以上となる。燃圧Ｐｆが基準圧力Ｐｒｅｆ以上のときには、安定してエンジン２２を始動することができると判断し、スタータモータ２３によりクランキングしてエンジン２２を始動して（ステップＳ１２０）、本ルーチンを終了する。
【００２４】
一方、冷間時や長期間にわたってエンジン２２を始動しなかったことにより燃圧Ｐｆが基準圧力Ｐｒｅｆ未満となっているときには、モータジェネレータ３６によりエンジン２２をモータリングすると共に運転者のアクセルペダル５４の踏み込みに応じたトルクをモータジェネレータ３６からクランクシャフト２６に出力する（ステップＳ１３０）。このとき、クラッチ４２はモータジェネレータ３６によるエンジン２２のモータリングに先立ってオンとされる。ここで、エンジン２２をモータリングする際の回転数は、実施例では、車両が走行しているときには車速Ｖに応じた回転数であり、車両が走行していないときにはエンジン２２のアイドル回転数程度の回転数である。そして、モータジェネレータ３６によるエンジン２２のモータリングを開始してから所定時間、例えば、高圧燃料ポンプ６４の駆動によりデリバリパイプ６６内の燃圧Ｐｆを十分に基準圧力Ｐｒｅｆ以上に加圧することができる程度の時間より若干時間を経過したか否かを判定し（ステップＳ１４０）、所定時間経過していないときには、燃圧センサ６８からの燃圧Ｐｆを入力するステップＳ１００の処理に戻る。モータジェネレータ３６によるエンジン２２のモータリングを開始してから所定時間経過する前に検出した燃圧Ｐｆが基準圧力Ｐｒｅｆ以上になると、燃料噴射弁２２ａ〜２２ｆからの燃料噴射と点火制御とを開始してエンジン２２を始動して（ステップＳ１２０）、本ルーチンを終了する。なお、この場合、エンジン２２はモータジェネレータ３６によりモータリングされているから、スタータモータ２３によるクランキングの必要がないのは言うまでもない。
【００２５】
モータジェネレータ３６によるエンジン２２のモータリングを開始してから所定時間経過しても検出した燃圧Ｐｆが基準圧力Ｐｒｅｆ未満のときには、燃料系に異常が生じていると判定し、運転席前方に配置されたアラームを点灯して（ステップＳ１５０）、エンジン２２を始動することなく、このルーチンを終了する。
【００２６】
以上説明した実施例のハイブリッド自動車２０によれば、キースイッチ５１をオンとして車両を始動した後に最初にエンジン２２を始動する際には、デリバリパイプ６６内の燃圧Ｐｆが基準圧力Ｐｒｅｆ未満のときでも、モータジェネレータ３６によりエンジン２２をモータリングして燃圧Ｐｆを迅速に基準圧力Ｐｒｅｆ以上としてエンジン２２を始動することができる。即ち、燃圧Ｐｆが基準圧力Ｐｒｅｆ未満でもエンジン２２を迅速に始動することができる。また、モータジェネレータ３６によりエンジン２２をモータリングするから、高圧燃料ポンプ６４を電動化することによる大型化を回避することができる。更に、燃圧Ｐｆが基準圧力Ｐｒｅｆ以上となった後にエンジン２２を始動するから、燃圧Ｐｆが基準圧力Ｐｒｅｆ未満のときにエンジン２２を始動することによって生じ得る排気エミッションの悪化を招くこともない。もとより、こうしたエンジン２２の始動時でも運転者のアクセルペダル５４の踏み込み量に応じたトルクをモータジェネレータ３６から出力することにより走行することができる。
【００２７】
実施例のハイブリッド自動車２０では、キースイッチ５１をオンとして車両を始動した後に最初にエンジン２２を始動する際の処理として燃圧Ｐｆが基準圧力Ｐｒｅｆ未満のときにはモータジェネレータ３６によりエンジン２２をモータリングするものとしたが、アイドルストップ制御によりエンジン２２を自動始動する際の処理についても燃圧Ｐｆが基準圧力Ｐｒｅｆ未満のときにはモータジェネレータ３６によりエンジン２２をモータリングするものとしてもよいのは勿論である。
【００２８】
実施例のハイブリッド自動車２０では、燃圧Ｐｆが基準圧力Ｐｒｅｆ以上のときにはスタータモータ２３によりエンジン２２をクランキングして始動するものとしたが、燃圧Ｐｆが基準圧力Ｐｒｅｆ以上のときでもモータジェネレータ３６によりエンジン２２をクランキングして始動するものとしてもよい。
【００２９】
実施例のハイブリッド自動車２０では、エンジン２２のクランクシャフト２６のオートマチックトランスミッション２８の反対側にクラッチ４２を介してモータジェネレータ３６を接続するものとしたが、図３の変形例のハイブリッド自動車１２０に示すように、エンジン１２２とオートマチックトランスミッション１２８の間にモータジェネレータ１３６を配置するものとしてもよい。この場合、エンジン１２２の運転を停止した状態でエンジン１２２をモータリングすることなくモータジェネレータ１３６からの動力をオートマチックトランスミッション１２８を介して車軸に出力することができる。
【００３０】
実施例のハイブリッド自動車２０では、エンジン２２のクランクシャフト２６のオートマチックトランスミッション２８の反対側にクラッチ４２を介してモータジェネレータ３６を接続するものとしたが、筒内噴射するエンジンのクランクシャフトの動力を用いて駆動する高圧燃料ポンプにより燃料噴射弁に燃料を供給するデリバリパイプへの燃料を加圧するものであると共にエンジンをモータリング可能なモータを備えるものであれば、如何なる構成としてもよい。例えば、図４の変形例のハイブリッド自動車２２０に示すように、エンジン２２２のクランクシャフトに遊星歯車機構２２４の回転要素の一つを接続し、この遊星歯車機構２２４の残る二つの回転要素の一方にモータ２２６を他方に車軸に連結された駆動軸を接続し、この駆動軸に動力を入出力するモータ２２８を取り付けるものとしてもよい。この場合、エンジン２２２のモータリングは、駆動軸に出力される反力としてのトルクをモータ２２８からのトルクでキャンセルしながらモータ２２６からトルクを出力することにより行なうことができる。また、図５の変形例のハイブリッド自動車３２０に示すように、エンジン３２２のクランクシャフトと車軸に連結された駆動軸に相対的に回転する二つのロータ３２４ａ，３２４ｂからなる対ロータモータ３２４のロータ３２４ａとロータ３２４ｂとを接続し、駆動軸に動力を入出力するモータ３２６を取り付けるものとしてもよい。この場合、エンジン３２２のモータリングは、駆動軸に出力される反力としてのトルクをモータ３２６からのトルクでキャンセルしながら対ロータモータ３２４からトルクを出力することにより行なうことができる。
【００３１】
実施例のハイブリッド自動車２０では、筒内噴射形のエンジン２２の燃料噴射弁２２ａ〜２２ｆに燃料を供給するデリバリパイプへの燃料を高圧燃料ポンプ６４により加圧するものとしたが、エンジンのクランクシャフトの動力を用いて燃料噴射弁に燃料を供給するパイプへの燃料を加圧するポンプを備えるものであれば、筒内噴射形のエンジンに限られるものではなく、例えば吸気ポートや副燃焼室に燃料噴射するタイプのエンジンを用いるものとしても構わない。
【００３２】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３３】
本発明は、自動車産業に利用可能である。
【図面の簡単な説明】
【００３４】
【図１】本発明の一実施例としてのハイブリッド自動車２０の構成の概略を示す構成図である。
【図２】ハイブリッド用電子制御ユニット５０により実行される始動処理ルーチンの一例を示すフローチャートである。
【図３】変形例のハイブリッド自動車１２０の構成の概略を示す構成図である。
【図４】変形例のハイブリッド自動車２２０の構成の概略を示す構成図である。
【図５】変形例のハイブリッド自動車３２０の構成の概略を示す構成図である。
【符号の説明】
【００３５】
２０，１２０，２２０，３２０  ハイブリッド自動車、２２，１２２，２２２，３２２  エンジン、２２ａ〜２２ｆ  燃料噴射弁、２３  スタータモータ、２４  エンジン用電子制御ユニット（エンジンＥＣＵ）、２６  クランクシャフト、２８，１２８  オートマチックトランスミッション、３０  オートマチックトランスミッション用電子制御ユニット（ＡＴＥＣＵ）、３２  デファレンシャルギヤ、３４ａ，３４ｂ  駆動輪、３６，１３６  モータジェネレータ、３８  インバータ、４０  バッテリ、４２  クラッチ、４４  エンジン側プーリ、４６  モータ用プーリ、４８  ベルト、５０  ハイブリッド用電子制御ユニット、５１  キースイッチ、５２  シフトレバー、５３  シフトポジションセンサ、５４  アクセルペダル、５５  アクセルペダルポジションセンサ、５６  ブレーキペダル、５７  ブレーキペダルポジションセンサ、５８  車速センサ、６０  燃料タンク、６２  燃料ポンプ、６４  高圧燃料ポンプ、６６  デリバリパイプ、６８  燃圧センサ、２２６，２２８，３２６  モータ、３２４  対ロータモータ、３２４ａ，３２４ｂ  ロータ。
【図１】
2005155337.tif 000003
【図２】
2005155337.tif 000004
【図３】
2005155337.tif 000005
【図４】
2005155337.tif 000006
【図５】
2005155337.tif 000007